(57)【要約】【課題】            豊かな立体感を表現する表面構造体を提供すること。【解決手段】        一実施形態に係る表面構造体１００は、本体２００の上に順次重なった少なくとも１つの塗装層３１０〜３３０と、該少なくとも１つの塗装層３１０〜３３０の中に配置された粒子状の部材３４０であって、その側面３４０ｂが前記少なくとも１つの塗装層３１０〜３３０により覆われ、その上面３４０ａが該少なくとも１つの塗装層３１０〜３３０から露出した粒子状の部材３４０と、を含む研ぎ出し層３００と、研ぎ出し層３００の上に配置された箔状の部材４００と、研ぎ出し層３００と箔状の部材４００とを連続的に覆う保護層５００と、を具備する。【選択図】          図３
2013201928.tif 000002
【特許請求の範囲】
【請求項１】
釣竿本体と、
該釣竿本体の上に順次重なった少なくとも１つの塗装層と、該少なくとも１つの塗装層の中に配置された粒子状の部材であって、その側面が前記少なくとも１つの塗装層により覆われ、その上面が該少なくとも１つの塗装層から露出した粒子状の部材と、を含む研ぎ出し層と、
該研ぎ出し層の上に配置された箔状の部材と、
前記研ぎ出し層と前記箔状の部材とを連続的に覆う保護層と、
を具備する釣竿。
【請求項２】
前記箔状の部材のうちの少なくとも１つの箔状の部材が、前記研ぎ出し層における前記粒子状の部材の上に位置している、請求項１に記載の釣竿。
【請求項３】
前記箔状の部材のうちの少なくとも１つの箔状の部材が、前記少なくとも１つの塗装層の上に位置している、請求項１又は請求項２に記載の釣竿。
【請求項４】
前記少なくとも１つの箔状の部材が、横方向において前記粒子状の部材から距離をおいて位置している、請求項３に記載の釣竿。
【請求項５】
前記箔状の部材が透過性及び光輝性のうちの少なくとも一方を有する、請求項１から請求項４のいずれかに記載の釣竿。
【請求項６】
本体の上に順次重なった少なくとも１つの塗装層と、該少なくとも１つの塗装層の中に配置された粒子状の部材であって、その側面が前記少なくとも１つの塗装層により覆われ、その上面が該少なくとも１つの塗装層から露出した粒子状の部材と、を含む研ぎ出し層と、
該研ぎ出し層の上に配置された箔状の部材と、
前記研ぎ出し層と前記箔状の部材とを連続的に覆う保護層と、
を具備する表面構造体。
【発明の詳細な説明】
【技術分野】
【０００１】
本発明は、釣竿、リール、クーラーボックス、ルアー等の釣具、並びに、ゴルフクラブシャフト等のゴルフ用品等を含む工業製品の表面に形成される表面構造体に関する。
【背景技術】
【０００２】
釣具等の工業製品の表面に形成される表面構造体としては、特開２００４−３４３３５号公報（特許文献１）に記載されたものが知られている。かかる表面構造体は、釣具等の本体の上に形成された凹凸層と、この凹凸層の上に形成された平滑部と、これら凹凸層及び平滑部の上に形成された反射層と、この反射層の上に形成された着色層と、を含む。
【先行技術文献】
【特許文献】
【０００３】
【特許文献１】特開２００４−３４３３５号公報
【発明の概要】
【発明が解決しようとする課題】
【０００４】
しかしながら、上記文献に記載された表面構造体にあっては、平滑部は、塗料を凹凸層の上に分散させる（吹き付ける）ことにより形成される。この結果、平滑部と、凹凸層のうち平滑部が形成されていない部分との間の高低差が、小さくならざるを得ないため、立体感を表現することが困難である。
【０００５】
そこで、本実施の形態により、豊かな立体感を表現する表面構造体を提供する。
【課題を解決するための手段】
【０００６】
一実施形態に係る釣竿は、釣竿本体と、該釣竿本体の上に順次重なった少なくとも１つの塗装層と、該少なくとも１つの塗装層の中に配置された粒子状の部材であって、その側面が前記少なくとも１つの塗装層により覆われ、その上面が該少なくとも１つの塗装層から露出した粒子状の部材と、を含む研ぎ出し層と、該研ぎ出し層の上に配置された箔状の部材と、前記研ぎ出し層と前記箔状の部材とを連続的に覆う保護層と、を具備する。
一実施形態に係る表面構造体は、本体の上に順次重なった少なくとも１つの塗装層と、該少なくとも１つの塗装層の中に配置された粒子状の部材であって、その側面が前記少なくとも１つの塗装層により覆われ、その上面が該少なくとも１つの塗装層から露出した粒子状の部材と、を含む研ぎ出し層と、該研ぎ出し層の上に配置された箔状の部材と、前記研ぎ出し層と前記箔状の部材とを連続的に覆う保護層と、を具備する。
【発明の効果】
【０００７】
本実施の形態により、豊かな立体感を表現する表面構造体を提供することができる。
【図面の簡単な説明】
【０００８】
【図１】図１は、本発明の一実施形態に係る表面構造体の構成を模式的に示す断面図である。
【図２Ａ】図２Ａは、本発明の一実施形態に係る表面構造体の構成を模式的に示す断面図である。
【図２Ｂ】図２Ｂは、本発明の一実施形態に係る表面構造体の構成を模式的に示す断面図である。
【図２Ｃ】図２Ｃは、本発明の一実施形態に係る表面構造体の構成を模式的に示す断面図である。
【図２Ｄ】図２Ｄは、本発明の一実施形態に係る表面構造体の構成を模式的に示す断面図である。
【図３】図３は、図１に示した表面構造体１００を部分的に拡大して模式的に示す側面図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
以下、様々な実施形態に係る塗装構造体が工業製品の１つである釣竿の表面の上に形成される場合について説明するが、これらの実施形態に係る塗装構造体は、釣具及びゴルフ用品を含むあらゆる工業製品に適用可能なものである。
【００１１】
（実施形態１）
図１は、本発明の一実施形態に係る表面構造体の構成を模式的に示す断面図である。図示のように、表面構造体１００は、釣竿本体２００の上（又は本体２００の上に形成されたクリアー層などの層の上であってもよい）に形成されている。表面構造体１００は、大まかにいえば、釣竿本体１０の上に形成された研ぎ出し層３００と、研ぎ出し層３００の上に配置された箔状の部材４００と、研ぎ出し層３００と箔状の部材４００とを連続的に覆う保護層５００と、を含む。
【００１２】
研ぎ出し層３００は、釣竿本体２００の上に順次重なった少なくとも１つの塗装層を含む。図１には、少なくとも１つの塗装層の一例として、釣竿本体２００の上に重なった第１の塗装層３１０と、第１の塗装層３１０の上に重なった第２の塗装層３２０と、を含むものが示されている。さらに、この少なくとも１つの塗装層は、第３の塗装膜（保護層）３３０を含んでいてもよい。これらの塗装層３１０、３２０、３３０は、合成樹脂により構成されたものである。これらの塗装層は、透明なものであり、相互に異なる明度、彩度及び／又は色相を有するものとすることができる。
【００１３】
上記少なくとも１つの塗装層の中には、所望の色彩を有する粒子状の部材３４０が配置されている。部材３４０は、例えば、ウレタン・アクリル・エポキシ塗料等の合成樹脂により構成されたものである。図１には、略台形状の断面を有する粒子状の部材３４０が示されているが、粒子状の部材３４０は、どのような断面形状を有するものであってもよい。また、粒子状の部材３４０同士の間には、一定の間隔がおかれてもよいし、ランダムな間隔がおかれてもよい。
【００１４】
粒子状の部材３４０は、その上面は、上記少なくとも１つの塗装層から露出し、その側面は、上記少なくとも１つの塗装層により覆われたものとなっている。図１は、粒子状の部材３４０の上面が第１の塗装層３１０〜第３の塗装層３３０のすべてから露出した態様を示しているが、粒子状の部材３４０のうちの少なくとも１つの樹脂３４０は、第１の塗装層３１０〜第３の塗装層３３０のうちの少なくとも１つの塗装層のみから露出するようにしてもよい（すなわち、粒子状の部材３４０は、第１の塗装層３１０〜第３の塗装層３３０のうちの少なくとも１つの塗装層により覆われるようにしてもよい）。
【００１５】
次に、箔状の部材４００は、例えば、金や銀等の金属、及び、樹脂等により、薄膜状（粒子状の部材３４０よりも薄い膜状）に形成されたものである。箔状の部材４００は、金や銀等の金属により薄膜状に形成された場合には、光を通す性質（透過性）及び光輝性（到来した光を反射させる性質）を有するものとなる。また、箔状の部材４００は、樹脂により薄膜状に形成された場合にも、同様に透過性及び光輝性を有するものとなる。箔状の部材４００は、その表面が研磨されることにより凹凸面を有すると、光輝性を高めたものとなる。また、箔状の部材４００は、その表面に塗料が付与されることにより、光輝性を高めたものとなる。箔状の部材４００は、透過性及び光輝性を高めるために、任意の形状を有するものとすることができる。
【００１６】
次に、保護層５００は、研ぎ出し層３００と箔状の部材４００とを連続的に覆うように、釣竿本体２００の延設方向に沿って延びている。保護層５００は、略一定の厚みを有するように形成されてもよい。保護層５００は、例えば合成樹脂等により構成されたものとすることができる。
【００１７】
次に、上述した表面構造体１００の製造方法の一例について図２Ａ〜図２Ｄを参照して説明する。図２Ａ〜図２Ｄは、図１に示した表面構造体の製造方法を模式的に示す断面図である。
【００１８】
まず図２Ａに示すように、釣竿本体２００の上に粒子状の部材３４０が配置される。粒子状の部材３４０は、例えば、ガン吹き塗装、シゴキ塗装、刷毛塗り塗装等を含む任意の塗装技術、また、スクリーン印刷、シール貼着により、釣竿本体２００の上に配置されるものとすることができる。
【００１９】
次に、図２Ｂに示すように、第１の塗装層３１０及び第２の塗装層３２０が、釣竿本体２００と粒子状の部材３４０とを連続的に覆うように付与される。具体的には、まず、顔料や染料等とエポキシやウレタン等の透明又は半透明の合成樹脂との混合物である塗料が、釣竿本体２００と粒子状の部材３４０とを連続的に覆うように付与され硬化されることによって、第１の塗装層３１０が形成される。次に、別の塗料が同様に第１の塗装層３１０を連続的に覆うように付与され硬化されることによって、第２の塗装層３２０が形成される。また、同様の手法により、第２の塗装層３２０を連続的に覆うように第３の塗装層（保護層）３３０が付与されるようにしてもよい。ここでも、上述したような塗装技術を用いることができる。
【００２０】
次に、これまでに形成された表面構造体の表面に対して研磨がなされる。例えば、図２Ｃに示すように、第１の塗装層３１０〜第３の塗装層３３０のうちの少なくとも１つの塗装層から粒子状の部材３４０が露出するまで研磨（研ぎ出し）がなされ、表面構造体の表面が平坦化される。研ぎ出しが完了した状態においては、複数の粒子状の部材３４０のうちの少なくとも１つの部材３４０は、その上面が少なくとも１つの塗装層から露出し、その側面が少なくとも１つの塗装層により覆われたものとなっている。図２Ｃには、一例として、すべての部材３４０が第１の塗装層３１０〜第３の塗装層３３０のすべての塗装層から露出している態様が示されているが、少なくとも１つの塗装層により上面が覆われた部材３４０が存在していてもよい。このようにして研ぎ出し層３００が形成される。
【００２１】
次に、図２Ｄに示すように、研ぎ出し層３００の上に複数の箔状の部材４００が配置される。例えば、複数の箔状の部材４００と樹脂との混合物が研ぎ出し層３００の上に上述した塗装技術を用いて付与され硬化される。樹脂が硬化することによって、箔状の部材４００は研ぎ出し層３００の上に固定される。よって、図２Ｄには示されていないが、箔状の部材４００の表面には、樹脂が残っている。次に、研ぎ出し層３００と箔状の部材４００とを連続的に覆うように樹脂が付与され硬化されることによって、図１に示した保護層５００が形成される。
【００２２】
図３は、図１に示した表面構造体１００を部分的に拡大して模式的に示す側面図である。図３に示すように、粒子状の部材３４０は、第１の塗装層３１０〜第３の塗装層３３０の中に配置され、さらに、その上面３４０ａがこれらの塗装層から露出し、その側面３４０ｂがこれらの塗装層により覆われたものとなっている。
【００２３】
箔状の部材４００Ａは、粒子状の部材３４０の上に位置している。よって、部材４００Ａと部材３４０とが交差するＤ１方向やＤ２方向等から見たときには、人間の眼は、部材３４０の色（例えば桃色）と部材４００Ａの色（例えば青色）とが混ざった色を見ることができる。しかも、部材４００Ａが光輝性を有するものであるときには、Ｄ１方向やＤ２方向からわずかにずれた方向から見たときには、Ｄ１方向やＤ２方向から見たときに比べて、人間の眼は、さらに異なった明度、彩度及び色相を感じることができる。
また、部材４００Ａは、部材３４０の上に位置していることによって、その影が部材３４０の上に与えられることになる。すなわち、部材４００Ａは、その下方に位置する部材３４０に対して微妙な陰影を与えることができる。これら部材４００Ａと部材３４０とが人間の眼に立体感（奥行き感）を与えることができる。
【００２４】
一方、箔状の部材４００Ｂは、粒子状の部材３４０の上には位置せず、第１の塗装層３１０〜第３の塗装層３３０の上に位置している。これらの塗装層は、透明又は半透明となるように形成されているので、部材４００Ｂは、方向Ｄ３等から見たときには、人間の眼には、これらの塗装層の上に浮いているように見える。これにより、部材４００Ｂは、立体的に見える。
さらに、部材４００Ｂは、横方向の位置において、両側に位置する部材３４０に対して、それぞれ間隙Ｌ１及びＬ２をおいて位置している。これにより、例えば、方向Ｄ３等から見たときには、人間の眼は、これらの間隙から釣竿本体２００の表面を見ることができる。これにより、人間の眼は、釣竿本体２００の表面と比較して部材４００Ｂを見ることにより、部材４００が浮いていることを感じることができる。これにより、部材４００Ｂは、より立体的に見える。
【００２５】
このように、本実施形態によれば、粒子状の部材３４０の上に箔状の部材４００を設けることにより、粒子状の部材３４０の外観に微妙な陰影を付加することができ、また、粒子状の部材３４０と箔状の部材４００とが相俟って見る角度に応じて変化する外観が得られる。また、釣竿本体２００の上に位置するように箔状の部材４００を設けることにより、箔状の部材４００が浮き上がって見えるような外観が得られる。これにより、豊かな立体感を表現する表面構造体を提供することができる。
また、粒子状の部材３４０及び少なくとも１つの塗装層に付与される色を変化させることと、箔状の部材４００の光輝性及び透過性を変化させること、との組み合わせにより、伝統工芸的な外観のみならず、今までにない外観を表現することができる。
【符号の説明】
【００２６】
１００  表面構造体
２００  本体
３００  少なくとも１つの塗装層
３１０  第１の塗装層
３２０  第２の塗装層
３３０  第３の塗装層
３４０  粒子状の部材
３４０ａ  粒子状の部材の上面
３４０ｂ  粒子状の部材の側面
４００  箔状の部材
５００  保護層
【図１】
2013201928.tif 000003
【図２Ａ】
2013201928.tif 000004
【図２Ｂ】
2013201928.tif 000005
【図２Ｃ】
2013201928.tif 000006
【図２Ｄ】
2013201928.tif 000007
【図３】
2013201928.tif 000008